(57)【要約】  肌照明デバイスは、ユーザーの肌を照明するように使用可能な光を発生させるように構成された光源と、光源に動作可能に接続された形状保持具であって、光源がユーザーの肌を照明することができるような適所に光源を保持するように構成されている、形状保持具と、光源に動作可能に接続されたユーザーインターフェースであって、ユーザーが光源を制御するのを可能にするように構成された、ユーザーインターフェースと、光源に動作可能に接続された電源であって、肌照明デバイスに電力を提供するように構成された、電源とを備える。【選択図】図１
2021509072.tif 000002
【特許請求の範囲】
【請求項１】
肌照明デバイスであって、
ユーザーの肌を照明するように使用可能な光を発生させるように構成された光源と、
前記光源に動作可能に接続された形状保持具であって、前記光源が前記ユーザーの肌を照明することができるような適所に該光源を保持するように構成されている、形状保持具と、
前記光源に動作可能に接続されたユーザーインターフェースであって、前記ユーザーが前記光源を制御するのを可能にするように構成された、ユーザーインターフェースと、
前記光源に動作可能に接続された電源であって、該肌照明デバイスに電力を提供するように構成された、電源と、
を備える、肌照明デバイス。
【請求項２】
前記光源は、ヒトユーザーの肌を照明するように使用可能な光を発生させるように構成されている、請求項１に記載の肌照明デバイス。
【請求項３】
前記照明された肌の略３６０度の可視性を提供する、請求項１に記載の肌照明デバイス。
【請求項４】
前記肌照明デバイスは、１つ以上の、前記ユーザーの肌からの光の直接反射を低減させるように構成された、影付けデバイスを更に備える、請求項１に記載の肌照明デバイス。
【請求項５】
前記影付けデバイスは、前記光源及び前記形状保持具のうちの１つ以上に物理的に接続されている、請求項４に記載の肌照明デバイス。
【請求項６】
前記肌照明デバイスは、安全性の理由、事前設定されたユーザーの選好及び他の理由のうちの１つ以上に対して、前記光源をオンにするリマインダーを前記ユーザーに送信するように構成されている、請求項１に記載の肌照明デバイス。
【請求項７】
前記肌照明デバイスは、該肌照明デバイスを使用可能にするユーザー活動に関するユーザー選好を受け取るように構成されている、請求項６に記載の肌照明デバイス。
【請求項８】
前記ユーザー活動は、ランニング、サイクリング、ハイキング、スケート、スキー、指定されたスポーツへの参加及びウォーキングのうちの１つ以上を含む、請求項７に記載の肌照明デバイス。
【請求項９】
前記肌照明デバイスは、１つ以上のアクティベーション基準の発生に基づいてアクティベートするように構成されている、請求項１に記載の肌照明デバイス。
【請求項１０】
前記アクティベーション基準は、前記肌照明デバイスの場所、前記ユーザーからの該肌照明デバイスの距離、周囲光の検出、日付、場所及び時刻のうちの１つ以上を含む、請求項９に記載の肌照明デバイス。
【請求項１１】
前記コントローラーは、前記ユーザーから前記アクティベーション基準を受け取る、請求項９に記載の肌照明デバイス。
【請求項１２】
前記コントローラーが接続されているスマートデバイスが、前記ユーザーから前記アクティベーション基準を受け取る、請求項９に記載の肌照明デバイス。
【請求項１３】
前記肌照明デバイスは、関心場所から所定距離内でアクティベートモードに入るように構成されている、請求項９に記載の肌照明デバイス。
【請求項１４】
前記関心場所は、横断歩道、交差点、ハイウェイ及び幹線道路のうちの１つ以上を含む、請求項１３に記載の肌照明デバイス。
【請求項１５】
前記アクティベートモードは、相対的に強い光、相対的に弱い光、点滅光、及び前記光源の別の注意喚起モードのうちの１つ以上を含む、前記請求項１３に記載の肌照明デバイス。
【請求項１６】
前記アクティベートモードは、自動車の運転手の注意を喚起するように構成されている、請求項１５に記載の方法。
【請求項１７】
前記肌は、ヒトの耳、ヒトの耳の付け根、ヒトの耳たぶ、ヒトが装着するイヤリング、ヒトの耳の縁部、ヒトの鼻、ヒトの口、ヒトの手、ヒトの指、ヒトの手指の爪、ヒトの足指の爪、ヒトの足、ヒトのつま先、ヒトの頭部、ヒトの首部、ヒトの胸部、ヒトの臀部、ヒトの片方の尻、ヒトの頬、ヒトの腹部、ヒトのへそ、ヒトの足首、ヒトが装着するブラジャー、ヒトが装着するベルト、ヒトが装着する腕輪、ヒトが装着する腕時計、ヒトが装着するサンダル、ヒトが装着する靴、ヒトが装着する別の衣料品、ヒトの身体、ヒトの肌、ヒトの唇、及び別のヒトの身体部位のうちの１つ以上を含む、請求項１に記載の肌照明デバイス。
【請求項１８】
前記肌照明デバイスは、該肌照明デバイスが前記ユーザーの肌と接触すること及び該ユーザーの該肌の所定距離内に入ることのうちの１つ以上となるときを判断するように構成されたセンサーを更に備える、請求項１に記載の肌照明デバイス。
【請求項１９】
前記肌照明デバイスは、音声を発するように構成された発音デバイスを更に備える、請求項１に記載の肌照明デバイス。
【請求項２０】
肌照明デバイスであって、
ヒトユーザーの肌を照明するように使用可能な光を発生させるように構成された光源と、
前記光源に動作可能に接続された形状保持具であって、前記光源が前記ユーザーの肌を照明することができるような適所に該光源を保持するように構成されている、形状保持具と、
前記光源に動作可能に接続されたユーザーインターフェースであって、前記ユーザーが前記光源を制御するのを可能にするように構成された、ユーザーインターフェースと、
前記光源に動作可能に接続された電源であって、該肌照明デバイスに電力を提供するように構成された、電源と、
該肌照明デバイスが前記ユーザーの肌と接触すること及び該ユーザーの所定距離内に入ることのうちの１つ以上となるときを判断するように構成されたセンサーと、
を備え、
該肌照明デバイスは、関心場所から所定距離内でアクティベートモードに入るように構成され、
前記関心場所は、横断歩道、交差点、ハイウェイ及び幹線道路のうちの１つ以上を含み、
前記アクティベートモードは、相対的に強い光、相対的に弱い光、点滅光、及び前記光源の別の注意喚起モードのうちの１つ以上を含み、
前記アクティベートモードは、自動車の運転手の注意を喚起するように構成され、
前記光源は、ユーザーから受け取られるアクティベーション基準に基づいてアクティベートするように構成され、前記アクティベーション基準は、該肌照明デバイスの場所、前記ユーザーからの該肌照明デバイスの距離、周囲光の検出、日付、場所及び時刻のうちの１つ以上を含み、
該肌照明デバイスは、安全性の理由、事前設定されたユーザーの選好及び他の理由のうちの１つ以上に対して、前記光源をオンにするリマインダーをユーザーに送信するように構成され、
該肌照明デバイスは、該肌照明デバイスを使用可能にするユーザー活動に関するユーザー選好を受け取るように更に構成され、前記ユーザー活動は、ランニング、サイクリング、ハイキング、スケート、スキー、指定されたスポーツへの参加及びウォーキングのうちの１つ以上を含む、肌照明デバイス。
【発明の詳細な説明】
【技術分野】
【０００１】
優先権主張
本出願は、「Device for Lighting Flesh」と題する２０１７年１１月１７日に出願の米国仮特許出願第６２／５８８，２４１号の優先権を主張し、その出願は引用することにより本明細書の一部をなす。
【発明の概要】
【０００２】
肌照明デバイスは、ヒトユーザーの肌を照明するように使用可能な光を発生させるように構成された光源と、光源に動作可能に接続された形状保持具であって、光源がユーザーの肌を照明することができるような適所に光源を保持するように構成されている、形状保持具と、光源に動作可能に接続されたユーザーインターフェースであって、ユーザーが光源を制御するのを可能にするように構成された、ユーザーインターフェースと、光源に動作可能に接続された電源であって、肌照明デバイスに電力を提供するように構成された、電源とを備える。
【０００３】
肌照明デバイスは、ヒトユーザーの肌を照明するように使用可能な光を発生させるように構成された光源と、光源に動作可能に接続された形状保持具であって、光源がユーザーの肌を照明することができるような適所に光源を保持するように構成されている、形状保持具と、光源に動作可能に接続されたユーザーインターフェースであって、ユーザーが光源を制御するのを可能にするように構成された、ユーザーインターフェースと、光源に動作可能に接続された電源であって、肌照明デバイスに電力を提供するように構成された、電源と、肌照明デバイスがユーザーの肌と接触すること及びユーザーの所定距離内に入ることのうちの１つ以上となるときを判断するように構成されたセンサーとを備え、肌照明デバイスは、照明された肌の略３６０度の可視性を提供し、肌照明デバイスは、関心場所から所定距離内でアクティベートモードに入るように構成され、関心場所は、横断歩道、交差点、ハイウェイ及び幹線道路のうちの１つ以上を含み、アクティベートモードは、相対的に強い光、相対的に弱い光、点滅光、及び光源の別の注意喚起モードのうちの１つ以上を含み、アクティベートモードは、自動車の運転手の注意を喚起するように構成され、光源は、ユーザーから受け取られるアクティベーション基準に基づいてアクティベートするように構成され、アクティベーション基準は、肌照明デバイスの場所、ユーザーからの肌照明デバイスの距離、周囲光の検出、日付、場所及び時刻のうちの１つ以上を含み、肌照明デバイスは、安全性の理由、ユーザーの事前設定された選好及び他の理由のうちの１つ以上に対して、光源をオンにするリマインダーをユーザーに送信するように構成され、肌照明デバイスは、肌照明デバイスを使用不可にするユーザー活動に関するユーザー選好を受け取るように更に構成され、ユーザー活動は、ランニング、サイクリング、ハイキング、スケート、スキー、指定されたスポーツへの参加及びウォーキングのうちの１つ以上を含む。
【０００４】
添付の図面は、様々な代表的な実施形態をより完全に説明するために使用され、かつ、当業者が、本明細書に開示する代表的な実施形態及びそれらの固有の利点をよりよく理解するために使用することができる、視覚的表現を提供する。これらの図面において、同様の参照番号は対応する要素を識別する。
【図面の簡単な説明】
【０００５】
【図１】肌照明デバイスの図である。
【図２Ａ】音声を発するように構成された発音デバイスを備える肌照明デバイスの２つの図の組における１つの図である。
【図２Ｂ】音声を発するように構成された発音デバイスを備える肌照明デバイスの２つの図の組における１つの図である。
【図３Ａ】ユーザーの耳の周囲に装着されるように設計された肌照明デバイスの２つの図の組における１つの図である。
【図３Ｂ】ユーザーの耳の周囲に装着されるように設計された肌照明デバイスの２つの図の組における１つの図である。
【図４Ａ】ユーザーの首の周囲にバンドとして装着されるように設計された肌照明デバイスの３つの図の組における１つの図である。
【図４Ｂ】ユーザーの首の周囲にバンドとして装着されるように設計された肌照明デバイスの３つの図の組における１つの図である。
【図４Ｃ】ユーザーの首の周囲にバンドとして装着されるように設計された肌照明デバイスの３つの図の組における１つの図である。
【図５】ユーザーの首の周囲にバンドとして装着されるように設計された肌照明デバイスの２つの図の組の図である。
【図６】ユーザーの鼻孔の内側に装着されるように設計された肌照明デバイスの図である。
【図７】ユーザーの耳たぶの上にイヤーゲージ（ear gauge）として装着されるように設計された肌照明デバイスの図である。
【図８Ａ】ユーザーの首の上にネックレスとして装着されるように設計された肌照明デバイスの２つの図の組における１つの図である。
【図８Ｂ】ユーザーの首の上にネックレスとして装着されるように設計された肌照明デバイスの２つの図の組における１つの図である。
【発明を実施するための形態】
【０００６】
本発明の実施形態は、概して、肌を照らすデバイス及び方法に関する。本発明の更なる実施形態は、光透過媒体としてヒトの身体を使用して肌を照らすデバイス及び方法に関する。本発明の他の実施形態は、光拡散媒体としてヒトの身体を使用して肌を照らすデバイス及び方法に関する。本発明の更なる実施形態は、光透過環境として身体を使用して肌を照らすデバイス及び方法に関する。本発明の更なる実施形態は、光拡散環境として身体を使用して肌を照らすデバイス及び方法に関する。
【０００７】
肌照明デバイスは、ヒトユーザーの肌を照明するように使用可能な光を発生させるように構成された光源を備える。肌照明デバイスは、光源に動作可能に接続された形状保持具を更に備え、形状保持具は、光源がユーザーの肌を照明することができるような適所に光源を保持するように構成されている。肌照明デバイスは、光源に動作可能に接続されたユーザーインターフェースを更に備え、ユーザーインターフェースは、ユーザーが光源を制御するのを可能にするように構成されている。例えば、ユーザーインターフェースは、光源に直接接続されている。例えば、ユーザーインターフェースは、ワイヤを通して光源に直接接続されている。例えば、ユーザーインターフェースは、コントローラーに接続され、コントローラーは、光源に直接接続されている。肌照明デバイスは、光源に動作可能に接続された電源を更に備え、電源は、肌照明デバイスに電力を提供するように構成されている。
【０００８】
本発明の更なる実施形態は、ヒトユーザーの肌を照明するように使用可能な光を発生させるように構成された光源と、光源に動作可能に接続された形状保持具であって、光源がユーザーの肌を照明することができるような適所に光源を保持するように構成されている、形状保持具とを備える。例えば、本発明の実施形態から、光源、制御部及び電源のうちの１つ以上を省略することができる。例えば、ユーザーが、光源、制御部及び電源のうちの１つ以上を提供する。
【０００９】
本発明の更なる実施形態は、光透過媒体としてヒトユーザーの耳を使用して肌を照らすデバイス及び方法に関する。本発明の他の実施形態は、光拡散媒体としてヒトの耳を使用して肌を照らすデバイス及び方法に関する。
【００１０】
本発明の更なる実施形態によれば、肌照明デバイスは、１つ以上のアクティベーション基準に基づいてアクティベートすることができる。例えば、アクティベーション基準は、肌照明デバイスの場所、ユーザーからの肌照明デバイスの距離、周囲光の検出、日付、場所及び時刻のうちの１つ以上を含む。例えば、肌照明デバイスは、夕暮れが近づくとオンになり、夜明けが近づくとオフになる。例えば、光センサーは周囲光センサーを含む。例えば、肌照明デバイスは、安全性の理由、事前設定されたユーザーの選好及び他の理由のうちの１つ以上に対して、光源をオンにするリマインダーをユーザーに送信するように構成されているイヤホンを含む。例えば、肌照明デバイスは、肌照明デバイスを使用可能にするユーザー活動に関するユーザー選好を受け取るように構成されている。例えば、使用可能を促すユーザー活動は、ランニング、サイクリング、スケート、スキー、指定されたスポーツへの参加及びウォーキングのうちの１つ以上を含む。
【００１１】
例えば、コントローラーは、ユーザーからアクティベーション基準を受け取る。例えば、コントローラーが接続されているスマートデバイスが、ユーザーからアクティベーション基準を受け取る。
【００１２】
例えば、アクティベーション基準は、肌照明デバイスにおいてコントローラーによって決定される。例えば、アクティベーション基準は、コントローラーが接続されているスマートデバイスによって決定される。例えば、スマートデバイスは、スマートフォン、音楽プレイヤー、ビデオプレイヤー及び別のスマートデバイスのうちの１つ以上を含む。
【００１３】
例えば、ユーザーは、歩行者、自転車に乗る人、オートバイの運転手及び小児のうちの１人以上を含む。例えば、肌照明デバイスは、アクティベートされると、照明される肌の略３６０度の可視性を提供する。
【００１４】
例えば、肌照明デバイスは、関心場所から所定距離内でアクティベートモードに入るように構成されている。例えば、関心場所は、横断歩道、交差点、ハイウェイ、幹線道路、及び別の関心場所のうちの１つ以上を含む。例えば、肌照明デバイスは、ユーザーの位置を決定する。例えば、肌照明デバイスは、ナビゲーションデータを使用してユーザーの位置を決定する。例えば、ナビテーションデータは、全地球測位システム（ＧＰＳ）及びグローバルナビゲーション衛星システム（ＧＬＯＮＡＳＳ）のうちの１つ以上からのデータを含む。例えば、肌照明デバイスは、スマートデバイスと連携してユーザーの位置を決定する。例えば、ユーザーが関心場所に近づくと、肌照明デバイスはアクティベートする。例えば、アクティベーションは、光源をオンにすること、光源をオフにすること、及び光源のモードをアクティベートモードに変化させることのうちの１つ以上を含む。
【００１５】
例えば、アクティベートモードは、相対的に強い光、相対的に弱い光、点滅する光、及び別の注意喚起モードのうちの１つ以上を含む。例えば、アクティベートモードは、自動車の運転手の注意を喚起するように構成される。例えば、アクティベートモードは、ユーザーが自動車内にいるときは抑制することができる。
【００１６】
本発明の更なる実施形態は、ヒトの耳、ヒトの耳の付け根、ヒトの耳たぶ、ヒトが装着するイヤリング、ヒトの耳の縁部、ヒトの鼻、ヒトの口、ヒトの手、ヒトの指、ヒトの手指の爪、ヒトの足指の爪、ヒトの足、ヒトのつま先、ヒトの頭部、ヒトの首部、ヒトの胸部、ヒトの臀部、ヒトの片方の尻、ヒトの頬、ヒトの腹部、ヒトのへそ、ヒトの脚、ヒトの足首、ヒトが装着するブラジャー、ヒトが装着するベルト、ヒトが装着する腕輪、ヒトが装着する腕時計、ヒトが装着するサンダル、ヒトが装着する靴、ヒトが装着する別の衣料品、ヒトの身体、ヒトの肌、ヒトの唇、及び別のヒトの身体部位のうちの１つ以上を光透過媒体として使用して、肌を照らすデバイス及び方法に関する。
【００１７】
本発明の更なる実施形態は、ヒトの耳、ヒトの耳の付け根、ヒトの耳たぶ、ヒトが装着するイヤリング、ヒトの耳の縁部、ヒトの鼻、ヒトの口、ヒトの手、ヒトの指、ヒトの手指の爪、ヒトの足指の爪、ヒトの足、ヒトのつま先、ヒトの頭部、ヒトの首部、ヒトの胸部、ヒトの臀部、ヒトの片方の尻、ヒトの頬、ヒトの腹部、ヒトのへそ、ヒトの脚、ヒトの足首、ヒトが装着するブラジャー、ヒトが装着するベルト、ヒトが装着する腕輪、ヒトが装着する腕時計、ヒトが装着するサンダル、ヒトが装着する靴、ヒトが装着する別の衣料品、ヒトの身体、ヒトの肌、ヒトの唇、及び別のヒトの身体部位のうちの１つ以上を光拡散媒体として使用して、肌を照らすデバイス及び方法に関する。
【００１８】
本発明の更なる実施形態は、動物の耳、動物の耳の付け根、動物の耳たぶ、動物が装着するイヤリング、動物の耳の縁部、動物の鼻、動物の口、動物の手、動物の指、動物の手指の爪、動物の足指の爪、動物の足、動物のつま先、動物の首部、動物の頭部、動物の胸部、動物の臀部、動物の片方の尻、動物の頬、動物の腹部、動物のへそ、動物の足関節、動物が装着する腕輪、動物の爪のある足（paw）、動物の蹄、動物の足関節、動物の尾、動物の角、動物の牙、動物の枝角、動物が装着する別の衣料品、動物の身体、動物の肌、動物の唇、及び別の動物の身体部分のうちの１つ以上を、光透過媒体及び光拡散媒体のうちの１つ以上として使用して、肌を照らすデバイス及び方法に関する。
【００１９】
本発明の更なる実施形態によれば、肌照明デバイスは光源を備える。例えば、光源は、発光ダイオード（ＬＥＤ）、有機発光ダイオード（ＯＬＥＤ）、マイクロＬＥＤ、ナノＬＥＤ、ＬＥＤフィラメント、レーザー、光ファイバー光源、光る光ファイバー光源、フィラメント電球、非フィラメント電球、蛍光光源、次世代光源、生物発光、化学発光、燐光、放射線ルミネセンス、光ルミネセンス、エレクトロルミネセンス及び別の光源のうちの１つ以上を含む。
【００２０】
本発明の更なる実施形態によれば、肌照明デバイスは、複数の光源を備える。例えば、肌照明デバイスは、複数のアドレス指定可能な光源を備える。例えば、肌照明デバイスは、複数のアドレス指定可能な、個々に制御可能な、小型の発光ミニ光源、例えば、ＬＥＤ及びマイクロＬＥＤのうちの１つ以上を備える。
【００２１】
例えば、肌照明デバイスは、ヒトの身体の外部の光源を使用する。例えば、肌照明デバイスは、ヒトの身体の内部の光源を使用する。例えば、肌照明デバイスは、ヒトの身体の外部の光源を使用し、ヒトの身体の内部の光源も使用する。例えば、肌照明デバイスは、ヒトの身体内に伸びる、ヒトの身体の外部の光源を使用する。
【００２２】
例えば、アドレス指定可能な光源のうちの１つ以上は、個々に制御することができる。例えば、アドレス指定可能な光源のうちの１つ以上は、ユーザー、デバイス、プログラム及び人工知能（ＡＩ）のうちの１つ以上によって個々に制御することができる。例えば、アドレス指定可能な光源のうちの１つ以上は、ユーザー、デバイス、プログラム及びＡＩのうちの１つ以上によってオンにすることができる。例えば、アドレス指定可能な光源のうちの１つ以上は、ユーザー、デバイス、プログラム及びＡＩのうちの１つ以上によってオフにすることができる。例えば、アドレス指定可能な光源のうちの１つ以上は、ユーザー、デバイス、プログラム及びＡＩのうちの１つ以上によって減光することができる。例えば、アドレス指定可能な光源のうちの１つ以上は、ユーザー、デバイス、プログラム及びＡＩのうちの１つ以上によって増光することができる。例えば、アドレス指定可能な光源のうちの１つ以上は、ユーザーによって局所的に減光をオンにすることができる。例えば、アドレス指定可能な光源のうちの１つ以上は、ユーザーによって局所的に減光をオフにすることができる。
【００２３】
例えば、光は、肌照明デバイスが皮膚と接触する部分又はセクションにおいて局所的に減光することができる。例えば、局所減光は、肌照明デバイスが皮膚に触れる領域の光の照らし方を減少させることによって、光の照らし方をより均一にする。例えば、光は、耳が非常に薄い部分又はセクションにおいて局所的に減光することができ、そのため、光はより均一になる。局所減光により、耳をより均一に照明することができる。局所減光は、局所減光オン及び局所減光オフのうちの１つ以上を含む。代替的に又はさらに、局所減光は、ユーザーの耳が異なる形状及び異なる長さのうちの１つ以上を有することを補償する。代替的に又はさらに、局所光は、耳の外側の照明及び耳の上の照明のうちの１つ以上を防止するように、耳たぶに近接する耳の端部において、スイッチオン、スイッチオフ及び減光のうちの１つ以上を行うことができる。
【００２４】
例えば、アドレス指定可能な光源を使用して、ユーザーは、照明する光の色を変更することができる。
【００２５】
例えば、肌照明デバイスは、光を拡散すること、放射すること、及び輝かせることのうちのそれ以上のうちの１つを行うことができる。
【００２６】
例えば、必要な計算を実行しその結果をユーザーに提供するＡＩを使用して、ユーザーは、スマートデバイスのカメラを覗き、局所減光を実施することができる。例えば、ユーザーは、鏡の中を見ること、及びデバイスの画面を見ることのうちの１つ以上により、手動で計算を実施することができる。例えば、ユーザーは、スマートデバイスのインターフェースを使用して手動局所調整を実施することができる。例えば、ユーザーは、アルゴリズムを使用して計算を実施することができる。
【００２７】
例えば、局所減光は、視覚効果、例えば、流れる光、波及び心拍リズムのうちの１つ以上を容易にすることができる。
【００２８】
例えば、肌照明デバイスは、可視波長、紫外線波長及び赤外線波長のうちの１つ以上の光を使用する。例えば、肌照明デバイスは、可視スペクトル、例えば、白色光、赤色光、青色光、緑色光、及び可視光の別の色のうちの１つ以上の任意の色の可視光を使用する。例えば、寒い天候の間、ユーザーの耳を温めるために、赤外線を更に使用することができる。
【００２９】
例えば、肌照明デバイスは、媒体を通過し可視光を放射するようにその媒体を励起した後の光を放射するように構成された、ＬＥＤを使用する。例えば、その媒体は、蛍光体、ＬＥＤから或る距離をおいたリモート蛍光体、及び別の発光媒体のうちの１つ以上を含む。例えば、ＬＥＤは、約１００ナノメートル（ｎｍ）〜約４００ｎｍの波長を有する光、すなわち、紫外線スペクトルに関連する波長の範囲の光を放射する。例えば、この光は、光ルミネセンスの効果を使用して蛍光体及びリモート蛍光体のうちの１つ以上を励起するために使用することができる。例えば、蛍光体は結合して、所与の波長全体の光、例えば、約６５０ｎｍのピーク波長を有する赤色光を放射する。
【００３０】
例えば、蛍光体は、光の色全体が白色であるように、異なる波長で光を励起する。白色光の大部分が、熱として吸収されること及び反射されることのうちの１つ以上となる。
【００３１】
肌照明デバイスは、電源を更に備える。肌照明デバイスは、ユーザーが光源を制御するのを可能にするように構成されたユーザーインターフェースを更に備える。任意選択的に、肌照明デバイスは、受電部（power recipient）を更に備える。例えば、受電部は、誘導コイル及び別の受電部のうちの１つ以上を含む。例えば、電源、ユーザーインターフェース及び受電部のうちの１つ以上は、ヒトの体内に組み込まれる。
【００３２】
例えば、肌照明デバイスは、電源、光源及び制御デバイスのうちの１つ以上に動作可能に接続される。例えば、肌照明デバイスは、電源、光源及び制御デバイスのうちの１つ以上に直接接続される。
【００３３】
例えば、肌照明デバイスは、イヤーバッド、ヘッドフォン、音を発生させるように構成された別の発音デバイスのうちの１つ以上を更に備える。例えば、発音デバイス自体が、照明されるように構成される。例えば、発音デバイス自体が、肌を照らすように構成される。本発明の実施形態は、肌照明デバイスと発音肌照明デバイスとの組合せを含む。
【００３４】
例えば、発音デバイスは、電源、光源及び制御デバイスのうちの１つ以上に動作可能に接続される。例えば、発音デバイスは、電源、光源及び制御デバイスのうちの１つ以上に直接接続される。
【００３５】
例えば、発音デバイスは、肌照明デバイスの残りの部分から着脱可能である。例えば、着脱可能な発音デバイスにより、ユーザーの聴取を妨げることがないように単に照明の目的での肌照明デバイスの使用が可能になる。例えば、肌照明デバイスは、発音デバイスに取り付けられる。
【００３６】
例えば、肌照明デバイスは、光効果とともに動作する音声効果を生成するように構成されたスピーカーを更に備える。代替的に又はさらに、別のデバイスがスピーカーを備える。例えば、スマートフォンがスピーカーを備える。例えば、スピーカーは、不気味な、恐ろしい及びおもしろいのうちの１つ以上である音声効果を発生させる。
【００３７】
例えば、肌照明デバイスは、関心時刻に達したとき、例えば、ユーザーがベッドから出たい時刻、ユーザーが仕事をする必要がある時刻、ユーザーが同僚と連絡をとる必要がある時刻、及び別の関心時刻に、可視アラーム信号発生として機能するように構成される。例えば、肌照明デバイスは、デバイスから警報を受け取るように構成された視覚的アラームとして機能するように構成される。例えば、警報は無音である。例えば、警報は可聴である。例えば、肌照明デバイスは携帯電話を含む。例えば、肌照明デバイスはタブレットを含む。
【００３８】
例えば、肌照明デバイスは、指定された状態が発生したときにユーザーに警報を出すように構成される。例えば、指定された状態は、着信電話呼、車両におけるアラームのトリガー、家庭用警報機のトリガー、及び別の指定された状態のうちの１つ以上を含む。
【００３９】
例えば、肌照明デバイスは、アダプターに動作可能に接続され、アダプターは、さらに、電源、光源及び制御デバイスのうちの１つ以上に動作可能に接続される。例えば、電源は、光学充電、突起電極、ワイヤレス充電、及び別の形態の充電のうちの１つ以上を使用する。
【００４０】
例えば、肌照明デバイスは、発音デバイスを備え、肌照明デバイス及び発音デバイスのうちの少なくとも一方は、ヘッドフォンジャックと動作可能に接続される。例えば、発音デバイスは、ヘッドフォンジャックと直接接続される。例えば、発音デバイスは、ケーブルを介してヘッドフォンジャックと直接接続される。例えば、電源、光源及び制御デバイスのうちの１つ以上が、発音デバイス及びヘッドフォンジャックの両方に動作可能に接続される。例えば、電源、光源及び制御デバイスのうちの１つ以上が、発音デバイスに直接接続され、電源、光源及び制御デバイスのうちの１つ以上は、ヘッドフォンジャックにも直接接続される。例えば、ヘッドフォンジャックを使用して、光源によって使用される電力の一部が移送される。例えば、別個の中間電池及びユーザーインターフェースのうちの１つ以上が、光源によって使用される電力を提供する。
【００４１】
例えば、肌照明デバイスは、ユニフォームシリアルバス（ＵＳＢ）、別の有線インターフェース、Ｂｌｕｅｔｏｏｔｈ、Ｚｉｇｂｅｅ、ＷｉＦｉ、別のワイヤレスインターフェース、及び直接接続のうちの１つ以上を介して、コントローラーに動作可能に接続される。例えば、インターフェースは、Cupertino、CaliforniaのApple Computer社（www.apple.com）によって製造されたＬｉｇｈｔｎｉｎｇインターフェースを含む。例えば、コントローラーは、コンピューター、ラップトップ、デスクトップコンピューター、タブレット、携帯電話、ＭＰ３プレイヤー、別の音楽プレイヤー、スマートデバイス及び別のコントローラーのうちの１つ以上を含む。
【００４２】
代替的に又はさらに、マスターコントローラーが、複数の肌照明デバイスを制御する。例えば、肌を照らす複数のデバイスが提供され、肌照明デバイスは、コンサート、クラブ、イベント、パーティ及び同様のイベントのうちの１つ以上において使用されるように構成される。例えば、複数のデバイスのうちの少なくとも２つは、マスターコントローラーによって制御することができる。例えば、複数のデバイスのうちの少なくとも２つは、肌を照らすように肌照明デバイスのうちの少なくとも２つの実質的に同期した制御を提供するように、マスターコントローラーによって制御することができる。例えば、選択された音楽のジャンル、選択されたリズム、及び別の選択基準のうちの１つ以上によって、デバイスをトリガーすることができる。
【００４３】
例えば、肌照明デバイス及び発音肌照明デバイスのうちの１つ以上を使用して、自身の写真を撮影することができる（「自撮り（selfie）」）。例えば、自撮りは、写真を撮影している人のみの画像を含む自撮りである。例えば、自撮りは、写真を撮影している人と１人以上の更なる人との画像を含む自撮りである。例えば、自撮りは、カメラ、携帯電話、タブレット及び別の画像取込デバイスのうちの１つ以上を使用して撮影される。
【００４４】
例えば、肌照明デバイス及び発音肌照明デバイスのうちの１つ以上は、画像取込デバイスカメラとおよそ同期して動作することができる。すなわち、肌照明デバイスは、突然に（又は突然にではなく）オンにすることができ、画像取込デバイスを使用して、それまで怪しんでいない人の画像を取り込むことができる。例えば、肌照明デバイスは、突然に（又は突然にではなく）オンにすることができ、画像取込デバイスを使用して、耳が照明されている人の不意打ちの写真を取り込むことができる。例えば、肌照明デバイスは、歌がおよそ同時に再生されている間に突然に（又は突然にではなく）オンにすることができ、画像取込デバイスを使用して、その歌を聴いている耳が照明されている人の不意打ちの写真を取り込むことができる。
【００４５】
例えば、肌照明デバイスは、ユーザーの心拍を検知するように構成された心臓パルスセンサーを備える。例えば、肌照明デバイスは、ユーザーの心拍とおよそ同期して点灯する。代替的に又はさらに、肌照明デバイスは、ユーザーの心拍とおよそ同期して点灯するように、肌照明デバイスの外部に位置する心臓パルスセンサーから信号を受信するように構成される。例えば、スマートフォン、スマートウォッチ及び別のデバイスのうちの１つ以上が、外部心臓パルスセンサーを備える。代替的に又はさらに、肌照明デバイスは、肌照明デバイスの外部に位置する疑似心拍発生器から疑似心拍信号を受信するように構成される。疑似心拍は、いかなる実際の生物の心拍にも関連がない。代替的に又はさらに、肌照明デバイスは、独立型特徴として、いかなるデバイスからの実パルス信号もなしに疑似心拍を発生させる。
【００４６】
パルス効果と同様に、肌照明デバイスにより、例えば、再生される歌のリズムによる／リズムとの、閃光、点滅、流れる光、ストロボ効果、減光、局所減光、脈動等、他の任意の関心視覚効果を提供することができる。
【００４７】
例えば、ＡＩは、肌照明デバイスを使用して、警報及び信号のうちの１つ以上を生成することができる。例えば、ＡＩは、Ｓｉｒｉ、Ａｌｅｘａ、Ｃｏｒｔａｎａ及び別のＡＩのうちの１つ以上を含む。
【００４８】
例えば、デバイス通知により、肌照明デバイスは肌を照らすことができる。例えば、着信電話呼、ボイスメール、着信テキストメッセージ、着信電子メール（ｅメール）メッセージ及び別のデバイス通知のうちの１つ以上により、肌照明デバイスをトリガーすることができる。例えば、ユーザーの電話が鳴ると、肌照明デバイスによって、ヒトの耳、腕、脚、足及び手首のうちの１つ以上が照明される。
【００４９】
例えば、ユーザーは、肌照明デバイスを装着している間、ユーザーの顔にスマートデバイスを向け、それにより、ＡＩに、ユーザーの顔、ユーザーの耳、及びユーザーの顔又は身体の別の特徴のうちの１つ以上を検出させる。そして、ＡＩは、検出した特徴に従って光を調整する。例えば、ＡＩは、ユーザーの耳が均一に照明されるように、光を調整する。例えば、プログラムが光を調整する。
【００５０】
例えば、肌照明デバイスはマイクロフォンを備える。例えば、マイクロフォンは、内蔵マイクロフォン及び独立型マイクロフォンのうちの１つ以上を含む。例えば、肌照明デバイスは、恐ろしい笑い、泣いている音声、別の音声、及び別のアクティベーショントリガーのうちの１つ以上によってアクティベートすることができる。例えば、肌照明デバイスは、コンピューター、ラップトップ、デスクトップコンピューター、タブレット、携帯電話、ＭＰ３プレイヤー、別の音楽プレイヤー及び別のコントローラーのうちの１つ以上への通知によってアクティベートされる。例えば、肌照明デバイスは、電話の着信音、着信電話呼、ボイスメールメッセージ、テキストメッセージ、並びにコンピューター、ラップトップ、デスクトップコンピューター、タブレット、携帯電話、ＭＰ３プレイヤー、別の音楽プレイヤー及び別のコントローラーのうちの１つ以上への別の通知のうちの１つ以上によってアクティベートされる。例えば、肌照明デバイスのアクティベーションは、ヒトの身体部分及び動物の身体部分のうちの１つ以上の照明をトリガーする。例えば、肌照明デバイスのアクティベーションは、ユーザーの耳及びユーザーの別の身体部分の照明をトリガーする。
【００５１】
例えば、本発明は、照明されるように構成されるコードを更に備える。
【００５２】
例えば、肌照明デバイスは、１つ以上の事前選択されたトリガーによってアクティベートされる。例えば、トリガーは、ユーザーの怒り、叫び声、唸り声、笑い声、鼻歌、事前選択された感情、ボイスアクティベーション及び別のトリガーのうちの１つ以上を含む。
【００５３】
例えば、肌照明デバイスは、ユーザーの鼻を照明し、さらに、肌照明デバイスをユーザーの鼻に対して保持するクリップを備える。例えば、クリップは、肌照明デバイスをユーザーの鼻孔に対して保持する。
【００５４】
例えば、肌照明デバイスは、ユーザーの眼鏡の鼻当て内に含まれる。例えば、肌照明デバイスは、ユーザーの鼻を照明するために使用される。例えば、光源は、ユーザーの鼻内に光を向けて、鼻を照明する。例えば、光源は、眼鏡に、眼鏡用の延長ひもに、及び、眼鏡のテンプルチップに取り付けられる。
【００５５】
例えば、肌照明デバイスは、ユーザーの唇と歯との間に配置される。例えば、光源は、唇及び頬のうちの１つ以上を照明するように、ユーザーの身体から離れる方向に光を向ける。
【００５６】
例えば、光源は、ユーザーのヘッドウェアの内側に配置することができ、帽子が肌と接触するユーザーの肌を照明する。
【００５７】
例えば、光源は、ユーザーの頭部を完全に一周する。
【００５８】
例えば、肌照明デバイスは、ユーザーの胸部が照明されるように、ユーザーのブラジャーの縁部に、好ましくは、必須ではないが、ブラジャーのカップの縁部に配置される。例えば、肌照明デバイスは、ブラジャーのカップの下に位置決めされる。例えば、肌照明デバイスは、乳房が乳頭から照明されるように、ユーザーの乳頭の上に位置決めされる。
【００５９】
例えば、メダルが肌照明デバイスを備える。例えば、メダルは、ユーザーの乳房の間に配置されて乳房を照明するように構成される。例えば、パッチが肌照明デバイスを備える。例えば、パッチは、水で落ちる接着剤、別の剥がして貼り付けられる取外し可能な材料、及び吸引カップのうちの１つ以上によって、ユーザーの皮膚に付着する。例えば、ステッカーが肌照明デバイスを備える。例えば、肌照明デバイスは網を備え、ユーザーの皮膚は網の下で照明される。例えば、網は、その上に玩具のクモも有する。
【００６０】
例えば、肌照明デバイスは、ユーザーの耳の覆われていない部分を照明するようにユーザーの耳を完全には覆わない小型ヘッドフォンの側面に取り付けられる。
【００６１】
例えば、発音デバイスは、ランナー、ジョギングする人、自転車に乗る人、及び別の運動しているユーザーのうちの１人以上が、夜、又は可視性の低下する他の時間に使用することができる。発音デバイスは、ヘッドフォン、信号発生及びファッションのうちの１つ以上の機能を満足させる。
【００６２】
例えば、肌照明デバイスは、ユーザーの肌からの光の直接反射及び光源からの直接光のうちの１つ以上を低減させるように構成された影付けデバイスを更に備える。例えば、影付けデバイスは、光源及び形状保持具のうちの１つ以上に物理的に接続される。例えば、影付けデバイスは、ユーザーの肌からの光の反射を実質的に阻止するように構成される。例えば、影付けデバイスは、ユーザーの耳からの光の反射を阻止するように構成される。それにより、影付けデバイスは、光がユーザーの後ろの人をまぶしがらせないようにすることができる。
【００６３】
例えば、影付けデバイスはフィンを備える。例えば、フィンは、膜、フォーム、シリコーン、粘弾性シリコーンゴム、スポンジ、革及び別の影付きデバイスのうちの１つ以上を含む。
【００６４】
例えば、影付けデバイスは着脱可能である。着脱可能な影付けデバイスにより、異なるユーザーの異なる耳の形状及び異なる耳のサイズのうちの１つ以上が考慮される。ユーザーは、形状及びサイズのうちの１つ以上を選択することができる。
【００６５】
光が影付けされるか又は覆われた状態で維持することにより、反射光の代わりに皮膚照明された肌に注意が引き付けられ、ここでまた、居合わせた人がまぶしくならない。
【００６６】
代替的に又はさらに、影付けデバイスは実質的に透光性である。例えば、影付けデバイスは、赤色及びオレンジ色のうちの１つ以上で着色された透光性材料を含む。それにより、肌照明デバイスは、照明されたユーザーの耳と光学的に調和する。
【００６７】
例えば、影付けデバイスの照明された部分は反射性であり、ユーザーの皮膚から反射される光をユーザーの皮膚に戻るように反射することができる。例えば、影付けデバイスの色は、ユーザーの耳の色と同じ及び同様のうちの１つ以上である。
【００６８】
例えば、電源は、肌照明デバイスに物理的に取り付けられる。例えば、コントローラーは、肌照明デバイスに物理的に取り付けられる。例えば、電源は、供給ケーブルを備える。例えば、コントローラーは、供給ケーブルを備える。例えば、供給ケーブルは、信号及び電力のうちの１つ以上を伝送する。例えば、信号はオーディオ信号を含む。例えば、電源は光ファイバーを含む。例えば、コントローラーは光ファイバーを含む。
【００６９】
肌照明デバイスがオーディオ機能も有する場合、供給ケーブルは、ユーザーの頭部の正面で可視であるように、イヤーバッドに取り付けることができる。代替的に、供給ケーブルは耳の後方に配置することができる。
【００７０】
例えば、肌照明デバイスは、影付けデバイスに取り付けられる。例えば、影付けデバイスは光源を備える。例えば、形状保持具は影付けデバイスを備える。例えば、肌照明デバイスは形状保持具を備えていない。
【００７１】
例えば、肌照明デバイスは光ファイバーケーブルを備える。例えば、肌照明デバイスは、青色光、紫外光及びレーザー光のうちの１つ以上によって照明される光ファイバーケーブルを備える。例えば、光ファイバーケーブルは、肌照明デバイスの基部まで遮蔽される。基部において、蛍光体が施され、蛍光体の励起の後の光を白色光、オレンジ色光、赤色光、及び別の波長の光、並びに波長の組合せのうちの１つ以上に変換する。蛍光体は、塗布される、塗装される、取り付けられる、注入される及び成形されるのうちの１つ以上とすることができる。
【００７２】
例えば、肌照明デバイスは、蛍光体及びリモート蛍光体のうちの１つ以上を備える。例えば、影付けデバイスは、蛍光体及びリモート蛍光体のうちの１つ以上を備える。例えば、肌照明デバイスは、蛍光体の１つの層、１つの反射性層及び１つの影付け層を備える。例えば、蛍光体層は、光ファイバーケーブルと接触するように工学的に設計される。
【００７３】
例えば、センサーは、周囲光センサー、パルスセンサー、振動センサー、タッチセンサー、マイクロフォン、加速度計センサー及び別のセンサーのうちの１つ以上を含む。
【００７４】
例えば、センサーは、肌照明デバイスが、ユーザーの皮膚と接触すること、及びユーザーの所定距離内に入ることのうちの１つ以上となるときを判断するように構成された、タッチセンサーを含む。
【００７５】
例えば、肌照明デバイスは、タッチセンサーが、肌照明デバイスがユーザーの皮膚と接触すること、及びユーザーの所定距離内に入ることのうちの１つ以上となると判断する場所のみを照明する。
【００７６】
例えば、タッチセンサーを使用して、肌照明デバイスがユーザーの皮膚に触れる領域において光源をアクティベートすることができる。例えば、タッチセンサーを使用して、肌照明デバイスがユーザーの皮膚に触れる場所で光源の強度を低下させることができ、皮膚はより均一に照明される。
【００７７】
例えば、センサーは、肌照明デバイスに含まれない自立型デバイスの一部である。例えば、自立型デバイスは、スマートフォン、スマートウォッチ、スマートウェアラブル、スマートデバイス、タブレット及び別の自立型デバイスのうちの１つ以上を含む。例えば、センサーによって生成されるデータは、肌照明デバイスに伝送される。例えば、センサーデータはワイヤレスで伝送される。例えば、ワイヤレス伝送は、Ｂｌｕｅｔｏｏｔｈ、Ｚｉｇｂｅｅ、ＷｉＦｉ、近距離無線通信（ＮＦＣ）及び別のワイヤレス伝送方法を使用して行われる。
【００７８】
例えば、周囲光センサーを使用して、光源の強度が調節される。
【００７９】
例えば、パルスセンサーを使用して、パルスセンサーによって生成される心拍リズムとおよそ同期して肌照明デバイスを拍動させる。
【００８０】
例えば、振動センサーを使用して、ユーザーの身体の動きと同期して肌照明デバイスに電力が供給される。例えば、振動センサーは、ユーザーの喉頭の振動を検出するように構成された喉頭センサーを含む。例えば、喉頭センサーは、ユーザーが唸ること、話すこと、叫ぶこと、笑うこと及び別の音声を発することのうちのもう１つを行うのを検出することができ、その後、センサーデータを肌照明デバイスに送信することができる。そして、センサーデータを使用して光源を制御することができる。
【００８１】
例えば、肌照明デバイスは、内蔵発音デバイスを更に備え、マイクロフォンは、ハンズフリーセンサーとして使用される。例えば、マイクロフォンは、ユーザーが、唸ること、話すこと、叫ぶこと、笑うこと、所望のフレーズを言うこと、及び別の音声を発することのうちのもう１つを行うのを検出することができ、その後、肌照明デバイスの電源を入れること、肌照明デバイスを点灯すること、制御すること、音声を発生すること、及び別の所望の行為を行うことのうちの１つ以上を行うことができる。例えば、所望のフレーズは、「愛しています」及び「結婚してくれますか？」のうちの１つ以上を含む。
【００８２】
例えば、センサーは、ユーザーの身体の動き、例えば、ジョギング、ランニング、自転車に乗ること、スケート、スキー、ダンス及び別の身体の動きのうちの１つ以上と同期して、光源を制御するように使用可能な加速度計センサーを含む。
【００８３】
例えば、電源、コントローラー、ユーザーインターフェース及びセンサーのうちの１つ以上は、蹄鉄形状、又は、ユーザーの首の周囲に装着されるように構成された首ひも形状を形成する。
【００８４】
例えば、電源、コントローラー、ユーザーインターフェース及びセンサーのうちの１つ以上は、王冠形状を形成し、肌照明デバイスは、ユーザーの頭髪を持ち上げて、ユーザーの耳を露出させることができる。
【００８５】
例えば、光源、形状保持具、影付けデバイス及び発音デバイスのうちの１つ以上は、電源を備える。例えば、光源、形状保持具、影付けデバイス、コントローラー及び発音デバイスのうちの１つ以上は、ユーザーインターフェースを備える。例えば、光源、形状保持具、影付けデバイス及び発音デバイスのうちの１つ以上は、センサーを備える。
【００８６】
例えば、別のデバイスが電源を備えることができる。例えば、別のデバイスがコントローラーを備える。例えば、別のデバイスがユーザーインターフェースを備える。例えば、別のデバイスがセンサーを備えることができる。例えば、他のデバイスは、携帯電話、タブレット、メディアプレイヤー及び別のデバイスのうちの１つ以上を含む。
【００８７】
例えば、小型容器が電源を備える。例えば、小型容器がコントローラーを備える。例えば、小型容器がユーザーインターフェースを備える。例えば、小型容器がセンサーを備える。例えば、小型容器は、ユーザーが携行するか、又は、ユーザーのポケット内に配置するか、又はユーザーの衣服にクリップ留めすることができる。
【００８８】
例えば、肌照明デバイスは、反射面を更に備える。反射面は、ユーザーの肌に向かって光を反射する。
【００８９】
例えば、肌照明デバイスは光学系を更に備える。例えば、光学系は、配光角度を変更することができる。例えば、光学系は、光の円錐を約１６０度の配光角度から約４０度の配光角度まで狭めることができる。
【００９０】
例えば、肌照明デバイスは、ユーザーの耳を照明する。例えば、肌照明デバイスは、耳が頭部に付着しているユーザーの耳の後部を照明する。例えば、耳は、耳の後部と頭部との交差部によって形成された溝において、耳と頭部との間に配置される肌照明デバイスによって照明される。これらの実施形態は、耳の表面の大部分の最適な照明を提供する。
【００９１】
例えば、光源は、耳の基部を一回りする。
【００９２】
例えば、発音デバイスは、ユーザーの外耳道を照明するように照明されるイヤーバッドを備える。例えば、発音デバイスは、放射状に取り付けられた発光体を備え、発音デバイスは、外耳道の周囲で耳を照明するように構成される。発音デバイスがより複雑な形状を有するイヤーバッドを備える場合、光源は、耳の中心部の肌を照明するが、イヤーバッドの外側では直接見えないように、イヤーバッドの縁部の近くの領域を照明するように位置決めすることができる。
【００９３】
例えば、肌照明デバイスは、肌を照明するように、ユーザーが装着する、チョーカー、ネックレス、メダル及びペンダントのうちの１つ以上の内側に配置される。例えば、光源は、チョーカーの縁部の周囲に配置される。
【００９４】
例えば、肌照明デバイスはヘッドバンドを備え、自身の頭髪にヘッドバンドを配置しているユーザーは、自身の頭髪、耳及び皮膚のうちの１つ以上を照らし出す。例えば、肌照明デバイスは、人工毛髪の毛根に位置決めして、毛髪が光っているようにすることができる。
【００９５】
デバイスが発音デバイスを含む場合、供給ケーブルはイヤーバッドに取り付けることができる。こうした場合、代替的に又はさらに、供給ケーブルはユーザーの耳の後方に位置決めすることができる。
【００９６】
例えば、肌照明デバイスは、ユーザーの耳たぶを照明する。
【００９７】
例えば、肌照明デバイスはイヤリングを含む。例えば、イヤリングは、およそボタンのような形状である。例えば、イヤリングは、ユーザーの耳を貫通するピンを備える。例えば、イヤリングは、ユーザーの耳の上にクリップ留めされる。例えば、イヤリングは、電源、光源、電池、コントローラー及びユーザーインターフェースのうちの１つ以上を備える。例えば、光源は、耳たぶの近くでボタンの側面に配置することができる。例えば、光源は、イヤリングピンの一部とすることができる。
【００９８】
例えば、電源、光源、電池、コントローラー及びユーザーインターフェースのうちの１つ以上は、イヤリングに取り付けられたペンダント内に埋め込まれる。
【００９９】
例えば、光源は、飾りとなるイヤリングストッパーを使用して光を放射する。例えば、イヤリングストッパーは、交換可能及び取替可能のうちの１つ以上である。例えば、光源は、イヤリングのボタン部から光を放射する。
【０１００】
例えば、イヤリングは光を放射することができる。例えば、イヤリングは、ユーザーの耳を包囲して、耳の耳輪を照明することができる。例えば、ボタンイヤリングは、耳の耳輪を照明するとともに飾りとなる機能も果たす。
【０１０１】
例えば、肌照明デバイスは、耳たぶを伸張させることによって耳たぶに取り付けられるイヤープラグを含む。例えば、耳たぶを最もよく照明するように耳の放射状周囲における光源。例えば、電源、光源、電池、コントローラー及びユーザーインターフェースのうちの１つ以上は、肌照明デバイスによって形成される空きスペースに配置される。
【０１０２】
例えば、肌照明デバイスは飾りとなるイヤリングを含む。例えば、肌照明デバイスは、ドラゴンイヤリングを含む。例えば、肌照明デバイスは、耳輪の前部に位置決めされるドラゴンイヤリングを含む。例えば、光源は、耳輪の周囲で耳の後部に配置される。こうした実施形態は、美しい装飾的なイヤリング及び耳輪に沿った光源という二重の目的を有する。
【０１０３】
例えば、肌照明デバイスはパッチタトゥーを含む。例えば、タトゥーは、実質的に透明な可撓性材料を含む。例えば、タトゥーは、シリコーン及び熱可塑性エラストマー（ＴＰＥ）のうちの１つ以上を含む。
【０１０４】
例えば、光源は、へそを包囲するユーザーの肌を照明するように、肌面の上のユーザーのへそリングに配置される。
【０１０５】
図１は、肌照明デバイス１００の図である。肌照明デバイス１００は、光を発生させるように構成された光源１１０を備える。図示するように、肌照明デバイス１００は複数の光源１１０を備える。代替的に、肌照明デバイスは１つの光源のみを備えることができる。
【０１０６】
光源１１０は、ユーザーの肌（図示せず）を照明するように使用可能な光を発生させるように構成されている。例えば、光源１１０は、ヒトユーザーの肌を照明するように使用可能な光を発生させるように構成されている。代替的に又はさらに、光源１１０は、非ヒトユーザーの肌を照明するように使用可能な光を発生させるように構成される。
【０１０７】
例えば、光源１１０は、発光ダイオード（ＬＥＤ）、有機発光ダイオード（ＯＬＥＤ）、マイクロＬＥＤ、ナノＬＥＤ、ＬＥＤフィラメント、レーザー、光ファイバー光源、光る光ファイバー光源、フィラメント電球、非フィラメント電球、蛍光光源、次世代光源、生物発光、化学発光、燐光、放射線ルミネセンス、光ルミネセンス、エレクトロルミネセンス及び別の光源のうちの１つ以上を含む。図示するように、光源１１０は各々ＬＥＤを含む。例えば、光源１１０は、放射光のビーム角がユーザーの耳（図示せず）の後部の全体的な方向に向くように位置決めされる。
【０１０８】
肌照明デバイス１００は、光源１１０に動作可能に接続された形状保持具１２０を更に備え、形状保持具１２０は、照明すべきユーザーの肌の近くの適所に光源１１０を保持するように構成されている。この例では、形状保持具１２０は、光源１１０がユーザーの肌を照明することができるような適所に光源１１０を保持するように構成されている。例えば、形状保持具１２０は、光源がユーザーの耳の肌の近くにあるような適所に光源１１０を保持するように構成されている。例えば、形状保持具１２０は、ユーザーの耳の肌からの約ゼロミリメートル（ｍｍ）〜約２０ｍｍのおよその距離において適所に光源１１０を保持するように構成される。
【０１０９】
例えば、形状保持具１２０は、光源１１０を所望の形状で保持する。例えば、形状保持具１２０は可撓性である。例えば、形状保持具１２０は非可撓性である。例えば、形状保持具１２０は、耳が頭部に連結する場所でユーザーの耳の湾曲形状で光源１１０を保持する。例えば、形状保持具１２０は、概して耳の形状を辿る形状及び湾曲のうちの１つ以上を有する。
【０１１０】
肌照明デバイス１００は、光源１１０に動作可能に接続されたユーザーインターフェース１３０を更に備え、ユーザーインターフェース１３０は、ユーザーが光源１１０を制御するのを可能にするように構成されている。例えば、ユーザーインターフェースにより、ユーザーは、光源１１０によって放射される光の量、肌照明デバイス１００によって使用される電力、いずれの光源１１０がオンとされるか、いずれの光源１１０がオフとされるか、所与の光源１１０によって提供される照明の度合い、所与の光源１１０によって提供される光の色のうちの１つ以上を調整することができる。
【０１１１】
例えば、ユーザーインターフェース１３０は、ボタン及びスイッチのうちの１つ以上を備える。例えば、ユーザーインターフェース１３０はタッチインターフェースを備える。
【０１１２】
肌照明デバイスは、光源１１０に動作可能に接続された電源１４０を更に備える。図示するように、電源１４０は電池を含む。任意選択的に、コントローラー１５０は電源１４０を備える。代替的に、電源１４０はコントローラー１５０を備える。
【０１１３】
例えば、肌照明デバイス１００は、ユーザーインターフェース１３０の動作を制御するとともに必要なソフトウェアを備える、コントローラー１５０を更に備える。例えば、コントローラー１５０は、プリント回路基板（ＰＣＢ）を備える。コントローラー１５０は、ユーザーインターフェース１３０に光源１１０を接続する。コントローラー１５０はまた、光源１１０を電源１４０に電気的に接続する。例えば、コントローラー１５０は供給ケーブルを備える。例えば、コントローラー１５０はスマートデバイス（図示せず）を含む。例えば、スマートデバイスは、ラップトップ、スマートウォッチ、スマートフォン、タブレット、コンピューター及び別のスマートデバイスのうちの１つ以上を含む。
【０１１４】
例えば、肌照明デバイス１００は、マイクロプロセッサ１６０を更に備える。コントローラー１５０は、マイクロプロセッサ１６０を光源１１０のうちの１つ以上に接続する。マイクロプロセッサ１６０は、減光、電力調節、入力切替及び出力切替のうちの１つ以上を実行するように構成されている。コントローラー１５０は、ユーザーインターフェース１３０を光源１１０のうちの１つ以上に更に接続して、光源１１０のユーザー制御を可能にする。
【０１１５】
図２Ａ及び図２Ｂは、音声を発するように構成された発音デバイス２１０を備える肌照明デバイス２００の２つの図の組である。発音デバイス２１０は、ユーザーの耳（図示せず）に可聴の音声を発するのに好適なイヤホン２１０を含む。この例では、形状保持具１２０はイヤホン２１０と完全に重なる。
【０１１６】
図２Ａに示すように、肌照明デバイス２００は光源１１０を更に備える。この例では、肌照明デバイス２００は複数の光源１１０を備える。例えば、光源１１０は、マイクロ発光ダイオード（マイクロＬＥＤ）を含む。例えば、マイクロＬＥＤ１１０は、放射光のビーム角がユーザーの耳（図示せず）の後部の全体的な方向に向くように位置決めされる。
【０１１７】
肌照明デバイス２００は、光源１１０に動作可能に接続された形状保持具１２０と、光源１１０に動作可能に接続されたユーザーインターフェース１３０と、電源１４０と、コントローラー１５０と、形状保持具ワイヤ２３５と、オーディオインターフェース２４０と、オーディオインターフェースワイヤ２４５とを更に備える。この例では、コントローラー１５０は電源１４０を備える。例えば、電源１４０は電池を含む。例えば、コントローラー１５０は、オーディオインターフェース２４０によって生成されるオーディオ信号とコントローラー１５０によって光源１１０に電源を投入するために生成される信号との間の干渉によって生成される電気ノイズを低減させるために、少なくとも１５キロヘルツ（ｋＨｚ）の周波数を使用してパルス幅変調（ＰＷＭ）を使用して、光源１１０に電力を送出する。電源１４０は、光源１１０に電力を送出する。例えば、電源１４０は、パルス幅変調（ＰＷＭ）を使用して光源１１０に電力を送出する。
【０１１８】
コントローラー１５０は、形状保持具ワイヤ２３５を使用してイヤホン２１０に動作可能に接続されている。オーディオインターフェース２４０は、オーディオ信号を受信すること及び送信することのうちの１つ以上を行うように構成されたオーディオコネクターを備える。オーディオインターフェース２４０は、デジタルオーディオインターフェース２４０及びアナログオーディオインターフェース２４０のうちの１つ以上を含む。例えば、図示するように、オーディオインターフェース２４０は、第４のピンとしてマイクロフォンピンを備えるアナログ３．５ミリメートル（ｍｍ）ステレオジャックを含む。例えば、マイクロフォンは、リモートコントロールとしても使用可能である。代替的に又はさらに、オーディオインターフェース２４０は、Cupertino、CaliforniaのApple, Inc.社（www.apple.com）によって製造されている「Ｌｉｇｈｔｎｉｎｇ」オーディオインターフェース及びユニバーサルシリアルバス−Ｃ（ＵＳＢ−Ｃ）オーディオインターフェースのうちの１つ以上を含む。例えば、オーディオインターフェースは電源１４０としても使用することができる。
【０１１９】
例えば、ユーザーインターフェース１３０は、インターフェーススイッチ及びタッチインターフェースのうちの１つ以上を含む。ユーザーインターフェース１３０はコントローラー１５０を更に備える。コントローラー１５０は、ユーザーインターフェース１３０の動作を指示し、必要なソフトウェアを備える。ユーザーインターフェース１３０は、ユーザーインターフェースハウジング２７０によって保護されている。
【０１２０】
オーディオインターフェース２４０によって受信されるオーディオ信号は、オーディオインターフェースワイヤ２４５で伝送され、コントローラー１５０によって受信される。そして、コントローラー１５０は、任意選択的に信号を処理する。そして、コントローラー１５０は、形状保持具ワイヤ２３５までかつイヤホン２１０までオーディオ信号を渡す。コントローラー１５０は、任意選択的なユニバーサルシリアルバス（ＵＳＢ）ポート２７２を更に備える。ＵＳＢポート２７２は、電源１４０の充電、通信、ファームウェアアップグレード、ソフトウェアアップグレード及び他の目的のうちの１つ以上に対して使用可能である。
【０１２１】
図２Ｂは、発音デバイス２１０に関する詳細を示す拡大図であり、発音デバイス２１０は、上述したように、この例では、形状保持具１２０と完全に重なっている。形状保持具１２０は、光源１１０を備える。形状保持具１２０は、ユーザーの耳（図示せず）の後側の周囲の適所に光源１１０を保持する。形状保持具１２０は、光源１１０、コントローラー１５０及び電源１４０の間の導電性接続を提供するフレキシブルプリント回路（ＦＰＣ）２７３を更に備える。ＦＰＣ２７３は、光源１１０を備える。例えば、ＦＰＣ２７３は、形状保持具１２０内部で吊り下げられている。例えば、ＦＰＣ２７３は、光源１１０がユーザーの耳の後方に向かって光を放射するように位置決めされる。形状保持具ワイヤ２３５は、形状保持具１２０の長さを通して伸びている。
【０１２２】
形状保持具１２０は、概して、ユーザーの耳（図示せず）の輪郭に一致するような形状である。例えば、形状保持具１２０は、実質的に濃淡のない色を有する材料を含む。例えば、形状保持具１２０は、スリット又は孔のうちの１つ以上を有する材料を含む。例えば、形状保持具１２０は、透明、透光性及び半透明のうちの１つ以上である材料を含み、それにより、光源１１０によって放射される光は、形状保持具１２０から耳の方向に発散することができる。
【０１２３】
例えば、発音デバイス２１０は、形状保持具ワイヤ２３５を介して光源１１０に動作可能に接続されたバランスドアーマチュア型ドライバー（balanced armature driver）２８０を更に備え、バランスドアーマチュア型ドライバー２８０は、オーディオインターフェース２４０（図２Ｂには図示せず）から受信されるオーディオ信号を受信するように構成されている。バランスドアーマチュア型ドライバー２８０は、変更されたオーディオ信号を生成するように更に構成されている。発音デバイス２１０は、バランスドアーマチュア型ドライバー２８０から変更されたオーディオ信号を送信するように構成された音響チャネル２９０を更に備える。発音デバイス２１０は、任意選択的なイヤーチップ２９５を更に備え、イヤーチップ２９５は、ユーザーの耳（図示せず）内に隙間なくフィットするように構成されている。
【０１２４】
バランスドアーマチュア型ドライバーは、形状保持具ワイヤ２３５を介して音響チャネル２９０に動作可能に接続されている。
【０１２５】
図３Ａ及び図３Ｂは、ユーザーの耳の周囲に装着されるように設計された肌照明デバイス３００の２つの図の組である。例えば、肌照明デバイス３００は、ユーザーの耳の耳輪の周囲に装着することができる。
【０１２６】
図３Ａは、肌照明デバイス３００の構成要素を示す。この例では、肌照明デバイス３００は、複数の光源１１０を備える。例えば、図示するように、光源１１０はＬＥＤを含む。肌照明デバイス３００は、光源１１０に動作可能に接続された形状保持具１２０を更に備え、形状保持具は、耳の周囲の適所で肌照明デバイス３００を保持するように構成されている。肌照明デバイス３００は、ユーザーインターフェース１３０を更に備え、ユーザーインターフェース１３０は、インターフェース−形状保持具ワイヤ３１０を介して光源１１０に動作可能に接続され、ユーザーインターフェース１３０は、ユーザーが光源１１０を制御するのを可能にするように構成されている。
【０１２７】
肌照明デバイス３００は電源１４０を更に備え、電源１４０は、ユーザーインターフェース−形状保持具ワイヤ３１０を介して形状保持具１２０に動作可能に接続されている。この例では、電源１４０はコントローラー１５０を備える。肌照明デバイス３００はコントローラー１５０を更に備える。コントローラー１５０は、ユーザーインターフェース１３０の動作を指示し、必要なソフトウェアを備える。電源ハウジング３２０が、電源１４０、ユーザーインターフェース１３０及びコントローラー１５０を備える。例えば、電源１４０は電池を含む。電源１４０は、光源１１０に電力を送出する。例えば、電源１４０は、パルス幅変調（ＰＷＭ）を使用して光源１１０に電力を送出する。例えば、電源１４０は、直流（ＤＣ）を使用して光源１１０に電力を送出する。
【０１２８】
肌照明デバイス３００は、光源１１０、コントローラー１５０及び電源１４０の間の導電性接続を提供するＦＰＣ２７３を更に備える。ＦＰＣ２７３は、光源１１０を備える。例えば、ＦＰＣ２７３は、形状保持具１２０の内部で吊り下げられている。例えば、ＦＰＣ２７３は、光源１１０がユーザーの耳の後部に向かって光を放射するように位置決めされる。
【０１２９】
図３Ｂは、ヒトユーザーの耳３５０に装着されている耳照明デバイス３００を示す。
【０１３０】
図４Ａ〜図４Ｃは、ユーザーの首の周囲にバンドとして装着されるように設計された肌照明デバイスの３つの図の組である。
【０１３１】
図４Ａは、ユーザーの首に装着されていないときにおける、ユーザーの首の周囲にバンドとして装着されるように設計された肌照明デバイス４００の図を示す。肌照明デバイス４００は、複数の光源１１０を備える。この例では、光源１１０はマイクロＬＥＤを含む。この例では、光源１１０は、点灯装飾部を備える。この例では、光源１１０は、星形点灯装飾部１１０を備える。星形点灯装飾部１１０は、半透明材料及び不透明材料のうちの１つ以上を含む。星形点灯装飾部１１０はまた、ユーザーの肌からの光の直接反射及び光源１１０からの直接光のうちの１つ以上を低減させるように構成された影付けデバイスとしても機能する。
【０１３２】
この例では、形状保持具１２０は、肌照明デバイス４００と完全に重なっている。代替的に又はさらに、本発明の実施形態は、ユーザーの足首及びユーザーの手首のうちの１つ以上に装着することができる。例えば、肌照明デバイス４００は、シリコーンを含む。例えば、シリコーンは可撓性である。例えば、シリコーンは実質的に透明である。例えば、肌照明デバイスは熱可塑性エラストマー（ＴＰＥ）を含む。
【０１３３】
この例では、肌照明デバイス４００は、形状保持具１２０と完全に重なっている。また、複数の光源１１０、コントローラー１５０、ユーザーインターフェース１３０、電源１４０及び導電性トラック４１０も示し、導電性トラック４１０により、電源１４０は光源１１０に動作可能に接続されている。導電性トラック４１０は、肌照明デバイス４００の内部で吊り下げることができる。
【０１３４】
電源１４０は、ユーザーインターフェース１３０の動作を指示するとともに必要なソフトウェアを備えるコントローラー１５０を更に備える。肌照明デバイス４００は、光源１１０、コントローラー１５０及び電源１４０の間の導電性接続を提供するフレキシブルプリント回路（ＦＰＣ）２７３を更に備える。この例では、電源１４０はコントローラー１５０を備える。
【０１３５】
図４Ｂは、肌照明デバイス４００の背面図の図を示す。ここでもまた、複数の光源１１０も示す。肌照明デバイス４００は、形状保持具１２０と完全に重なっている。ここでもまたユーザーインターフェース１３０も示す。ユーザーインターフェースハウジング２７０も示す。電源１４０から光源１１０に電気を伝導するように構成された導電性トラック４１０も示す。導電性トラック４１０によって光源１１０に動作可能に接続されているユーザーインターフェース１３０も示す。星形点灯装飾部１１０は、ユーザーの肌からの光の直接反射及び光源１１０からの直接光のうちの１つ以上を低減させるように構成された影付けデバイスとしても機能する。電源１４０はワイヤレスで制御することができる。電源１４０は、ユーザーインターフェース１３０に含まれるボタンを使用して制御することができる。
【０１３６】
図４Ｃは、この場合もまた形状保持具１２０と完全に重なっている肌照明デバイス４００を装着しているユーザーの首の正面図の図を示す。ここでもまた、光源１１０及び導電性トラック４１０も示す。
【０１３７】
図５Ａ及び図５Ｂは、ユーザーの首の周囲にバンドとして装着されるように設計された肌照明デバイス５００の２つの図の組である。図５Ａは、ユーザーの首に装着されていないときにおける肌照明デバイス５００を示す。この例では、形状保持具１２０は、肌照明デバイス５００と完全に重なっている。代替的に又はさらに、本発明の実施形態は、ユーザーの足首及びユーザーの手首のうちの１つ以上に装着することができる。例えば、肌照明デバイス５００は、シリコーンを含む。例えば、シリコーンは可撓性である。例えば、シリコーンは実質的に透明である。例えば、肌照明デバイスは熱可塑性エラストマー（ＴＰＥ）を含む。
【０１３８】
肌照明デバイス５００は複数の光源１１０（図５Ｂに示す）を備える。この例では、光源１１０はマイクロＬＥＤを含む。肌照明デバイスは、ユーザーインターフェース１３０、電源１４０及びコントローラー１５０を更に備える。例えば、ユーザーインターフェース１３０は、ボタン及びスイッチのうちの１つ以上を備える。この例では、肌照明デバイス５００は、光影付けデバイス５１０を更に備える。この例では、光影付けデバイス５１０は、光影付け装飾部５１０を含む。この例では、光影付けデバイス５１０は火炎状光影付け装飾部５１０を含む。
【０１３９】
肌照明デバイス５００は、光源１１０、電源１４０及びコントローラー１５０の間の導電性接続を提供するＦＰＣ２７３を更に備える。
【０１４０】
図５Ｂは、ＦＰＣ２７３を備える光影付けデバイス５１０の拡大図である。光影付けデバイス５１０は光源１１０を備える。好ましくは、必須ではないが、光源１１０はマイクロＬＥＤを含む。好ましくは、必須ではないが、ＦＰＣ２７３は、大部分鮮明な色を有する。代替的に又はさらに、ＦＰＣ２７３は、光影付けデバイス５１０の形状を概して辿る形状を有する。
【０１４１】
ＦＰＣ２７３は、導電性トラック４１０を備え、それにより、電源１４０は光源１１０に動作可能に接続される。ＦＰＣ２７３は、肌照明デバイス５００内部で吊り下げることができる。光影付けデバイス５１０は、半透明材料及び不透明材料のうちの１つ以上を含む。光影付けデバイス５１０は、ユーザーの肌からの光の直接反射及び光源１１０からの直接光のうちの１つ以上を低減させるように構成されている。
【０１４２】
電源１４０は、肌照明デバイス５００の動作を容易にするように構成されたコントローラー１５０を更に備える。
【０１４３】
図６は、ユーザーの鼻孔の内側に装着されるように設計された肌照明デバイス６００の図である。肌照明デバイス６００は、光源１１０、形状保持具１２０、電池１４０、コントローラー１５０、導電性トラック及び導電性トラック４１０を備える。好ましくは、必須ではないが、光源１１０はマイクロＬＥＤを含む。好ましくは、必須ではないが、形状保持具１２０は大部分透き通った材料及び大部分透光性材料のうちの１つ以上である材料を含む。
【０１４４】
任意選択的に、図示するように、電源１４０は、光影付けデバイス５１０と完全に重なっている。肌照明デバイス５００は、複数の光源１１０を備える。この例では、光源１１０はマイクロＬＥＤを含む。
【０１４５】
光影付けデバイス５１０は導電性トラック４１０を更に備え、それにより、電源１４０は光源１１０に動作可能に接続されている。
【０１４６】
図７は、ユーザーの耳たぶにイヤーゲージとして装着されるように設計された肌照明デバイス７００の図である。肌照明デバイス７００は、光源１１０と、この例ではユーザーインターフェースハウジング２７０と完全に重なっている形状保持具１２０と、ユーザーインターフェース１３０と、電源１４０と、コントローラー１５０と、ＦＰＣ２７３と、導電性トラック４１０とを備える。図面は、形状保持具１２０の３つの例を示す。好ましくは、必須ではないが、光源１１０はマイクロＬＥＤを含む。例えば、ユーザーインターフェース１３０は、ボタン及びスイッチのうちの１つ以上を含む。
【０１４７】
図８Ａ及び図８Ｂは、ユーザーの首の上にネックレスとして装着されるように設計された肌照明デバイス８００の２つの図の組である。図８Ａは、肌照明デバイス８００の背面図の図面を示す。肌照明デバイスは、複数のネックレス装飾部８１０を備える。例えば、ネックレス装飾部８１０は宝石８１０を含む。ネックレス装飾部８１０は、ネックレスワイヤ８２０によって接続されている。
【０１４８】
この例では、肌照明デバイス８００は、形状保持具１２０と完全に重なっている。肌照明デバイス８００は、光源１１０、ユーザーインターフェース１３０、電源１４０、コントローラー１５０、マイクロプロセッサ１６０、形状保持具ワイヤ２３５、コントローラーハウジング２７０、ＵＳＢポート２７２、ＦＰＣ２７３及び導電性トラック４１０を備える。形状保持具ワイヤ２３５は、ネックレス装飾部８１０を隣接するネックレス装飾部８１０及びコントローラーハウジング２７０のうちの１つ以上に電気的に接続する。好ましくは、必須ではないが、光源１１０はマイクロＬＥＤを含む。例えば、コントローラー１５０は、ボタン及びスイッチのうちの１つ以上を含む（ここでは、ユーザーインターフェース１３０として示す）。
【０１４９】
図８Ｂは、ヒトユーザーの首に装着されている肌照明デバイス８００の正面図の図を示す。肌照明デバイス８００は、形状保持具１２０と完全に重なっている。図８Ｂに示す正面図では、肌照明デバイスのより少ない要素が可視である。形状保持具ワイヤ２３５、ネックレス装飾部８１０及びネックレスワイヤ８２０が可視である。
【０１５０】
例えば、当業者であれば、肌を照らす肌照明デバイス及び方法によって使用されるソフトウェアを、肌照明デバイスがアクセスすることができる任意の場所に配置することができることが理解されよう。当業者であれば、方法及びデバイスの変形の数が実質的に無限であることが更に理解されよう。したがって、上記説明における主題は、例示的なものとして解釈されるべきであり、限定する意味で解釈されるべきではない。
【０１５１】
上記代表的な実施形態について、例示的な構成で特定の構成要素を備えるものとして記載したが、当業者であれば、異なる構成及び／又は異なる構成要素を使用して他の代表的な実施形態を実施することができることが理解されよう。例えば、当業者であれば、本発明の機能を実質的に損なうことなく、特定のステップの順序及び特定の構成要素を変更することができることが理解されよう。
【０１５２】
本明細書において詳細に記載した代表的な実施形態及び開示した主題は、限定としてではなく例及び例示として提示されている。当業者であれば、本発明の範囲内にあり続ける均等な実施形態をもたらす、記載した実施形態の形態及び詳細で様々な変更を行うことができることが理解されよう。したがって、上記説明における主題は、例示的であるものとして解釈されるべきであり、限定する意味で解釈されるべきではないことが意図されている。
【図１】
2021509072.tif 000003
【図２Ａ】
2021509072.tif 000004
【図２Ｂ】
2021509072.tif 000005
【図３Ａ】
2021509072.tif 000006
【図３Ｂ】
2021509072.tif 000007
【図４Ａ】
2021509072.tif 000008
【図４Ｂ】
2021509072.tif 000009
【図４Ｃ】
2021509072.tif 000010
【図５】
2021509072.tif 000011
【図６】
2021509072.tif 000012
【図７】
2021509072.tif 000013
【図８Ａ】
2021509072.tif 000014
【図８Ｂ】
2021509072.tif 000015
【国際調査報告】
2021509072.tif 000016